(57)【要約】【課題】蓋体が不用意に開くことを簡易な構成によって防止することのできる梱包装置を提供する。【解決手段】組立状態において上部に開口部を有する箱本体部１１と、この箱本体部１１の開口部を閉塞する閉塞状態を取り得る蓋体１２とを備え、蓋体１２の第１の蓋側面部材２２に、組立状態において蓋体１２の内側に折り返されて第１の蓋側面部材２２と重なり合う折り返し部材２５を設け、閉塞状態において折り返し部材２５と重なり合う第２の本体側面部材１７に、折り返し部材２５に係止される係止用突起となる切り起こし片３０ａ，３０ｂを設けた。【選択図】図７
2010001039.tif 000002
【特許請求の範囲】
【請求項１】
四角形状の底面部材と、この底面部材の各辺部に形成された折曲線を介してそれぞれ当該底面部材に連設され組立状態において当該折曲線で折り曲げられて当該底面部材に対して起立する第１から第４の本体側面部材とを有し、組立状態において上部に開口部を有する箱本体部と、
組立状態において前記底面部材と対向可能な上面部材と、この上面部材の各辺部に形成された折曲線を介して連設され組立状態において前記本体側面部材の外側面と対向する蓋側面部材とを有し、前記箱本体部の前記開口部を閉塞する閉塞状態を取り得る蓋体とを備え、
前記蓋側面部材の少なくとも１つには、組立状態において前記蓋体の内側に折り返されて前記蓋側面部材と重なり合う折り返し部材が、前記上面部材との連設部に対向する辺部に折曲線を介して連設されており、
閉塞状態において前記折り返し部材と重なり合う前記本体側面部材には、前記折り返し部材に係止される係止用突起が設けられていることを特徴とする梱包装置。
【請求項２】
前記係止用突起は、前記いずれかの本体側面部材の一部を切り起こした切り起こし片で構成されていることを特徴とする請求項１に記載の梱包装置。
【請求項３】
前記箱本体部と前記蓋体とは一体的に形成されていることを特徴とする請求項１又は請求項２に記載の梱包装置。
【請求項４】
前記箱本体部の内部において梱包対象物を保持する保持枠体が、前記箱本体部と一体的に形成されていることを特徴とする請求項１から請求項３のいずれか一項に記載の梱包装置。
【請求項５】
前記保持枠体は、前記いずれかの本体側面部材における前記底面部材との連設方向の端部に、折曲線を介して連設されていることを特徴とする請求項４に記載の梱包装置。
【請求項６】
前記底面部材に切欠部が形成され、
前記蓋体の上面であって前記切欠部に対応する位置に、前記切欠部に嵌入する突出部が形成されていることを特徴とする請求項１から請求項５のいずれか一項に記載の梱包装置。
【発明の詳細な説明】
【技術分野】
【０００１】
本発明は、梱包装置に関する。
【背景技術】
【０００２】
従来、腕時計等の物品（梱包対象物）を梱包する梱包装置として、紙製シート等の材料からなる原紙から箱本体部と蓋体とを切り出し、切り出したシート状の箱本体部及び蓋体を折曲線に沿って折り曲げることにより箱状に組み立てるものが知られている。
【０００３】
また、出願人は、前面部材と、背面部材と、左右それぞれに設けられる側面部材と、側面部材から内方に離間した位置に物品を受け入れて保持する上端開口状の物品保持部とを備え、物品の外観を目視しやすく展示性に優れた梱包装置を提案している（例えば、特許文献１参照）。
【特許文献１】特許第３９６２８５７号公報
【発明の開示】
【発明が解決しようとする課題】
【０００４】
しかしながら、梱包装置は、物品を内部に保持・収納するものであり、運搬の途中で不用意に蓋（蓋体）が開いてしまうと、内部に収納された物品が梱包装置から出てしまったり、損傷したりするおそれもある。また、蓋が箱本体部に対してきちんと閉じた状態を保てないことは梱包装置としての外観上も望ましくない。
【０００５】
他方で、蓋（蓋体）を係止するための部材を別途設けたのでは、梱包装置が大型化するとともに、梱包装置を切り出す原紙の面積を大きくする必要が生じ、コスト増となるとの問題もある。
【０００６】
そこで、本発明は、以上のような事情に鑑みてなされたものであり、蓋体が不用意に開くことを簡易な構成によって防止することのできる梱包装置を提供することを目的としている。
【課題を解決するための手段】
【０００７】
このような問題を解決するため、請求項１に記載の発明は、
四角形状の底面部材と、この底面部材の各辺部に形成された折曲線を介してそれぞれ当該底面部材に連設され組立状態において当該折曲線で折り曲げられて当該底面部材に対して起立する第１から第４の本体側面部材とを有し、組立状態において上部に開口部を有する箱本体部と、
組立状態において前記底面部材と対向可能な上面部材と、この上面部材の各辺部に形成された折曲線を介して連設され組立状態において前記本体側面部材の外側面と対向する蓋側面部材とを有し、前記箱本体部の前記開口部を閉塞する閉塞状態を取り得る蓋体とを備え、
前記蓋側面部材の少なくとも１つには、組立状態において前記蓋体の内側に折り返されて前記蓋側面部材と重なり合う折り返し部材が、前記上面部材との連設部に対向する辺部に折曲線を介して連設されており、
閉塞状態において前記折り返し部と重なり合う前記本体側面部材には、前記折り返し部材に係止される係止用突起が設けられていることを特徴としている。
【０００８】
請求項２に記載の発明は、請求項１に記載の梱包装置において、
前記係止用突起は、前記いずれかの本体側面部材の一部を切り起こした切り起こし片で構成されていることを特徴としている。
【０００９】
請求項３に記載の発明は、請求項１又は請求項２に記載の梱包装置において、
前記箱本体部と前記蓋体とは一体的に形成されていることを特徴としている。
【００１０】
請求項４に記載の発明は、請求項１から請求項３のいずれか一項に記載の梱包装置において、
前記箱本体部の内部において梱包対象物を保持する保持枠体が、前記箱本体部と一体的に形成されていることを特徴としている。
【００１１】
請求項５に記載の発明は、請求項４に記載の梱包装置において、
前記保持枠体は、前記いずれかの本体側面部材における前記底面部材との連設方向の端部に、折曲線を介して連設されていることを特徴としている。
【００１２】
請求項６に記載の発明は、請求項１から請求項５のいずれか一項に記載の梱包装置において、
前記底面部材に切欠部が形成され、
前記蓋体の上面であって前記切欠部に対応する位置に、前記切欠部に嵌入する突出部が形成されていることを特徴としている。
【発明の効果】
【００１３】
本発明によれば、蓋体が箱本体部に被覆されると、係止用突起が折り返し部材に係止されことにより、蓋体が不用意に開くことを防止することができるとの効果を奏する。
【発明を実施するための最良の形態】
【００１４】
以下、図面を参照して、本発明の好適な実施形態について説明する。なお、以下では、本発明に係る梱包装置が腕時計及びその取扱説明書を収納する梱包装置である場合を例として説明するが、本発明を適用可能な実施形態がこれに限定されるものではない。
【００１５】
［第１の実施形態］
先ず、図１から図１７を参照しつつ、本発明に係る梱包装置の第１の実施形態について説明する。
【００１６】
図１は、本実施形態における梱包装置１の組立状態における斜視図であり、図２は、梱包装置１を平面上に展開した展開状態を示す展開図である。
【００１７】
図１に示すように、本実施形態における梱包装置１は、組立状態でほぼ直方体形状となるものであり、組立状態において上部に開口部を有する箱本体部１１（図２参照）と、この箱本体部１１と一体的に形成され、箱本体部１１の開口部を閉塞する閉塞状態を取り得る蓋体１２（図２参照）とを含んでいる。
図２に示すように、梱包装置１は、各部材が隣接する他の部材と互いに連結されて全体が一平面上に展開可能に一体形成されている。梱包装置１を形成する材料としては、例えば板紙や段ボール紙等の紙製シートが適用可能である。
梱包装置１の内部には、梱包対象物である腕時計１００（図６及び図１７参照）を嵌装する保持枠体５（図３参照）、腕時計１００を安定的に保持するためのスペーサ６（図４参照）、及び取扱説明書（以下単に「説明書」と称する。）１０１（図７及び図１７参照）等が収納される。
【００１８】
梱包装置１は、梱包装置１の底面を構成する四角形状の底面部材１５、梱包装置１の箱本体部１１の周面を構成する４つの本体側面部材（第１の本体側面部材１６、第２の本体側面部材１７、第３の本体側面部材１８、第４の本体側面部材１９）、第１の折り返し部材３１、第２の折り返し部材３２、一対の第１のフラップ３３ａ，３３ｂ、一対の第２のフラップ３４ａ，３４ｂ、及び、蓋体１２を構成する上面部材２１、第１の蓋側面部材２２、第２の蓋側面部材２３、第３の蓋側面部材２４、折り返し部材２５、一対のフラップ２６ａ，２６ｂを備えている。
【００１９】
第１の本体側面部材１６は、箱本体部１１の背面部分を構成するものであり、第２の本体側面部材１７は、箱本体部１１の前面部分を構成するものである。第１の本体側面部材１６及び第２の本体側面部材１７は、底面部材１５における対向する２つの辺部に形成された折曲線１５ａ，１５ｂを介してそれぞれ底面部材１５に連設されており、組立時にはこの折曲線１５ａ，１５ｂで折り曲げられて底面部材１５に対して起立し互いに対向するようになっている。
【００２０】
本実施形態において、第２の本体側面部材１７は、蓋体１２が箱本体部１１の開口部を閉塞する閉塞状態において後述する折り返し部材２５と重なり合うようになっている。
第２の本体側面部材１７の左右（図１５、図１７における左右）両端には、開口側の端部が折曲線１７ａ，１７ｂに接するようにほぼコ字状の切込み部１７ｃ，１７ｄがそれぞれ形成されている。組立状態において、この切込み部１７ｃ，１７ｄから折曲線１７ａ，１７ｂを基端として、係止用突起となる切り起こし片３０ａ，３０ｂが切り起こされるようになっている。
すなわち、この切り起こし片３０ａ，３０ｂは、蓋体１２が箱本体部１１に被覆され閉塞状態となったときに、蓋体１２の折り返し部材２５の自由端側の辺に係止される係止用突起である。
【００２１】
第３の本体側面部材１８は、箱本体部１１の右側面部分（図１５、図１７における右側面）を構成するものであり、第４の本体側面部材１９は、箱本体部１１の左側面部分（図１５、図１７における左側面）を構成するものである。
第３の本体側面部材１８及び第４の本体側面部材１９は、底面部材１５における折曲線１５ａ，折曲線１５ｂに隣接する２つの辺部にそれぞれ折曲線１５ｃ，１５ｄを介して連設されている。第３の本体側面部材１８及び第４の本体側面部材１９は、組立時にはこの折曲線１５ｃ，１５ｄで折り曲げられて底面部材１５に対して起立するとともに互いに対向し、第１の本体側面部材１６及び第２の本体側面部材１７とともに底面部材１５を取り囲むようになっている。
【００２２】
第１の本体側面部材１６における底面部材１５との連設部（折曲線１５ａ）に隣接する２つの辺部には、一対の第１のフラップ３３ａ，３３ｂが、それぞれ折曲線１６ａ，１６ｂを介して連設されている。第１のフラップ３３ａ，３３ｂは、組立時にこの折曲線１６ａ，１６ｂで折り曲げられて外面が第３の本体側面部材１８及び第４の本体側面部材１９の内面にそれぞれ当接されるようになっている。
【００２３】
第２の本体側面部材１７における底面部材１５との連設部（折曲線１５ｂ）に隣接する２つの辺部には、一対の第２のフラップ３４ａ，３４ｂが、それぞれ折曲線１７ａ，１７ｂを介して連設されている。第２のフラップ３４ａ，３４ｂは、組立時にこの折曲線１７ａ，１７ｂで折り曲げられて外面が第３の本体側面部材１８及び第４の本体側面部材１９の内面にそれぞれ当接されるようになっている。
【００２４】
第３の本体側面部材１８における底面部材１５との連設部（折曲線１５ｃ）に対向する辺部には、第１の折り返し部材３１が、折曲部１８ａを介して連設されている。第１の折り返し部材３１は、組立状態において箱本体部１１の内側に折り返され、第３の本体側面部材１８と重なり合うようになっている。
また、第４の本体側面部材１９における底面部材１５との連設部（折曲線１５ｄ）に対向する辺部には、第２の折り返し部材３２が、折曲部１９ａを介して連設されている。第２の折り返し部材３２は、組立状態において箱本体部１１の内側に折り返され、第４の本体側面部材１９と重なり合うようになっている。
【００２５】
第１の折り返し部材３１及び第２の折り返し部材３２の自由端には、それぞれ係止用凸部３１ａ，３２ａが形成されている。
底面部材１５には、折曲線１５ｃ，１５ｄに沿って、それぞれ係止用スリット１５ｅ，１５ｆが穿設されており、係止用凸部３１ａ，３２ａは、組立状態において、それぞれ係止用スリット１５ｅ，１５ｆに係止される。
なお、組立状態において、第１の折り返し部材３１と第３の本体側面部材１８との間及び第２の折り返し部材３２と第４の本体側面部材１９との間には、第１のフラップ３３ａ，３３ｂ及び第２のフラップ３４ａ，３４ｂが挟み込まれるようになっており、折曲部１８ａ、１９ａは、第１のフラップ３３ａ，３３ｂ及び第２のフラップ３４ａ，３４ｂの厚み分等を考慮して所定の幅に形成されている。
【００２６】
本実施形態において、第１の本体側面部材１６には、折曲線１５ａに対向する辺部に形成された折曲線１６ｃを介して蓋体１２を構成する上面部材２１が連設されている。蓋体１２は、折曲線１６ｃを軸として回動可能であり、箱本体部１１に対して開閉自在となっている。
【００２７】
上面部材２１の折曲線２１ａ，２１ｂの近傍には、それぞれ窓部２１ｄ，２１ｅが穿設されている。なお、本実施形態において、窓部２１ｄ，２１ｅは装飾用の孔であり、梱包装置１の必須の構成要素ではない。
【００２８】
上面部材２１における第１の本体側面部材１６との連設部（折曲線１６ｃ）に対向する辺部には、第１の蓋側面部材２２が、折曲線２１ｃを介して連設されている。
第１の蓋側面部材２２は、蓋体１２の前面部分を構成する部材であり、蓋体１２を箱本体部１１に被せた際に、箱本体部１１の前面部分を構成する第２の本体側面部材１７と重なり合う。
【００２９】
また、上面部材２１における第１の本体側面部材１６との連設部（折曲線１６ｃ）に隣接する２つの辺部には、第２の蓋側面部材２３及び第３の蓋側面部材２４が、それぞれ折曲線２１ａ，２１ｂを介して連設されている。
第２の蓋側面部材２３及び第３の蓋側面部材２４は、蓋体１２の側面部分を構成する部材であり、蓋体１２を箱本体部１１に被せた際に、箱本体部１１の左右の側面部分を構成する第３の本体側面部材１８及び第４の本体側面部材１９とそれぞれ重なり合う。
【００３０】
第２の蓋側面部材２３及び第３の蓋側面部材２４における上面部材２１との連設部（折曲線２１ａ，２１ｂ）に隣接する辺部のうち第１の蓋側面部材２２側に位置する辺部には、一対のフラップ２６ａ，２６ｂが、それぞれ折曲線２３ａ，２４ａを介して連設されている。なお、フラップ２６ａ，２６ｂの形状は、図示したものに限定されない。
また、第２の蓋側面部材２３及び第３の蓋側面部材２４には、折曲線２３ａ，２４ａに沿って、それぞれ係止用スリット２３ｂ，２４ｂが穿設されている。
【００３１】
第１の蓋側面部材２２における上面部材２１との連設部（折曲線２１ｃ）に対向する辺部には、折り返し部材２５が、折曲部（折曲線）２７を介して連設されている。折り返し部材２５は、組立状態において蓋体１２の内側に折り返され、第１の蓋側面部材２２と重なり合うようになっている。
折り返し部材２５の自由端の両側端には、それぞれ係止用凸部２５ａ，２５ｂが形成されている。係止用凸部２５ａ，２５ｂは、組立状態において、それぞれ係止用スリット２３ｂ，２４ｂに係止される。
なお、組立状態において、折り返し部材２５と蓋側面部材２２との間には、フラップ２６ａ，２６ｂが挟み込まれるようになっており、折曲部２７は、フラップ２６ａ，２６ｂの厚み分等を考慮して所定の幅に形成されている。
【００３２】
なお、箱本体部１１において底面部材１５を囲む第１の本体側面部材１６から第４の本体側面部材１９の形状、構成や、蓋体１２の形状、構成等は、ここに例示したものに限定されず、適宜変更可能である。
【００３３】
図３に、本実施形態体における保持枠体５を示す。
保持枠体５は、図３に示すように、保持枠上面部材５１と、保持枠上面部材５１の長手方向の両端に折曲線５１ａ，５１ｂを介して連設され、組立状態においてこの折曲線５１ａ，５１ｂで折り曲げられて保持枠上面部材５１に対して起立し対向する第１の側面部材５２及び第２の側面部材５３と、折曲線５１ａ，５１ｂに直交する折曲線５１ｃを介して連設されている第１のフラップ５４と、折曲線５１ｃと対向する折曲線５１ｄを介して連設されている第２のフラップ５５と、を備えて構成されている。
【００３４】
保持枠上面部材５１は、その長手方向の長さ寸法が箱本体部１１の底面部材１５の長手方向の長さ寸法よりも僅かに小さく形成されており、また、保持枠上面部材５１の長手方向の長さ寸法は、箱本体部１１の底面部材１５の幅方向の長さ寸法より、少なくとも説明書１０１の厚み分だけ小さい寸法となっている。
【００３５】
保持枠上面部材５１のほぼ中央部は、腕時計１００を保持する保持部５７となっている。保持部５７は、折曲線５７ａ,５７ｂ，５７ｃ，５７ｄによりほぼ四角形状に囲まれており、折曲線５７ａを下底とする台形状の切込部５７ｅ及び折曲線５７ｂを下底とする台形状の切込部５７ｆと、切込部５７ｅの上底のほぼ中央と切込部５７ｆの上底のほぼ中央とを結び保持枠上面部材５１の長手方向に延在する直線状の切込部５７ｇとを備えている。なお、保持部５７は、梱包対象物である腕時計１００を保持可能な構成であればよく、保持部５７の切込部５７ｅ，５７ｆ，５７ｇの形状等はここに例示したものに限定されない。
【００３６】
第１の側面部材５２及び第２の側面部材５３の保持枠上面部材５１の幅方向の長さ寸法は、箱本体部１１の底面部材１５の幅方向の長さ寸法よりも僅かに小さく形成されており、保持枠体５を箱本体部１１の内部に収納した際に、第１の側面部材５２及び第２の側面部材５３の側端面が箱本体部１１の内面に引っ掛からないようになっている。
【００３７】
第１のフラップ５４は、組立状態において折曲線５１ｃで折り曲げられて保持枠上面部材５１に対し起立する。保持枠体５を箱本体部１１の内部に収納した際には、第１のフラップ５４は、その外面が第２の側面部材１７の内面と対向するように配置される。
【００３８】
第２のフラップ５５は、梱包装置１内部に収納される説明書１０１の厚みよりも大きい幅寸法に形成されており、展開状態において、第１の側面部材５２及び第２の側面部材５３における第２のフラップ５５側の側端縁と第２のフラップ５５の自由端の端縁とがほぼ一直線となるようになっている。また、第２のフラップ５５は、その両端部が斜めに切り欠かれている。
【００３９】
図４に、本実施形態体におけるスペーサ６を示す。
スペーサ６は、図４に示すように、長尺な板状部材であり、例えば片面のみに凹凸の波型が形成されている片面段ボール紙で形成されている。スペーサ６は、使用時には、波型が形成されている波型面６１が内側となるように適宜巻回した状態で梱包装置１内のスペースを確保したい位置に配置される。
本実施形態においては、スペーサ６は、保持枠体５に保持された腕時計１００の時計バンド１００ａ内に挿入され（図６及び図７参照）、時計バンド１００ａの形状を保って、そのがたつき等を防止するようになっている。
【００４０】
図５は、本実施形態における梱包装置１に保持枠体５等を収納した状態の上面図であり、図６は、図５におけるVI−VI線断面図であり、図７は、図５におけるVII−VII線断面図であり、図８は、図７において一点鎖線で囲んだ部分の拡大図である。
図６及び図７に示すように、本実施形態においては、保持枠体５の保持部５７に腕時計１００を嵌装し、保持させた状態で、時計バンド１００ａ内にスペーサ６が挿入される。これにより時計バンド１００ａのがたつきを抑えることができるとともに、腕時計１００が保持枠体５の保持部５７から抜け落ちることを防止することができる。そして、保持枠体５が、その第１のフラップ５４の外面が第２の側面部材１７の内面と対向するように箱本体部１１に収納されることにより、腕時計１００が梱包装置１内の所定の位置に収納される。さらに、第２のフラップ５５と第１の側面部材１６との間に生じる空間には説明書１０１が挿入される。
【００４１】
また、図７及び図８に示すように、本実施形態では、蓋体１２を箱本体部１１に被覆したときに、第２の本体側面部材１７に設けられた切り起こし片３０ａ（なお、図７及び図８に現れていない切り起こし片３０ｂについても同様。）が、折り返し部材２５の自由端側の辺に係止されるようになっている。これにより、一旦蓋体１２を箱本体部１１に被覆すると、切り起こし片３０ｂが蓋体１２の浮き上がりを抑制し、蓋体１２が自由に開放されることを防止する。
【００４２】
次に、図９から図１７を参照しつつ、本実施形態における作用について説明する。
まず、図９に示す展開状態の梱包装置１、及び保持枠体５（図３参照）、スペーサ６（図４参照）を、それぞれ打ち抜き加工等により原紙から切り出す。
切り出した梱包装置１のすべての折曲線を谷折りにし、まず、蓋体１２を組み立てる。
具体的には、図１０に示すように、折曲線２１ａ，２１ｂを谷折りして第２の蓋側面部材２３及び第３の蓋側面部材２４を上面部材２１に対して起立させ、さらに、一対のフラップ２６ａ，２６ｂをそれぞれ折曲線２３ａ，２４ａを谷折りにして内側に折り込む。さらに折曲線２１ｃを谷折りして第１の蓋側面部材２２を上面部材２１に対して起立させ、フラップ２６ａ，２６ｂの外面を第１の蓋側面部材２２の内面に当接させるとともに、折曲部２７において折り返し部材２５を第１の蓋側面部材２２と重なり合うところまで内側に折り返す。そして、係止用凸部２５ａ，２５ｂをそれぞれ係止用スリット２３ｂ，２４ｂに係止して蓋体１２の組み立てが完了する（図１１参照）。
【００４３】
次に、箱本体部１１については、まず、図１２に示すように、第１の折り返し部材３１を第３の本体側面部材１８と重なり合うように内側に折り返し、第２の折り返し部材３２を第４の本体側面部材１９と重なり合うように内側に折り返しながら、折曲線１５ｃ，１５ｄを谷折りして第３の本体側面部材１８及び第４の本体側面部材１９を底面部材１５に対して起立させる。さらに、図１３に示すように、折曲線１７ａ，１７ｂをそれぞれ谷折りにして、第２のフラップ３４ａ，３４ｂを、その外面が第３の本体側面部材１８及び第４の本体側面部材１９の内面に接するように折り込みながら、折曲線１５ｂを谷折りにして第２の本体側面部材１７を底面部材１５に対して起立させる。
さらに、折曲線１６ａ，１６ｂをそれぞれ谷折りにして、第１のフラップ３３ａ，３３ｂを、その外面が第３の本体側面部材１８及び第４の本体側面部材１９の内面に接するように折り込みながら、折曲線１５ａを谷折りにして第１の本体側面部材１６を底面部材１５に対して起立させる。
そして、図１４に示すように、第１のフラップ３３ａ，３３ｂ及び第２のフラップ３４ａ，３４ｂを、第３の本体側面部材１８と第１の折り返し部材３１との間、第４の本体側面部材１９と第２の折り返し部材３２との間に挟みこむようにして、第１の折り返し部材３１及び第２の折り返し部材３２を折り込み、係止用凸部３１ａ，３２ａを、それぞれ係止用スリット１５ｅ，１５ｆに係止する。
また、切込み部１７ｃ，１７ｄから折曲線１７ａ，１７ｂを基端として切り起こし片３０ａ，３０ｂを切り起こし、切り起こし片３０ａ，３０ｂが第２の本体側面部材１７の外面に対してほぼ９０度となるように配置する。これにより、箱本体部１１の組み立てが完了する（図１５参照）。
【００４４】
次に、図１６に示すように、保持枠体５の折曲線をすべて山折りにした上で、保持部５７に腕時計１００を嵌装する。さらに、腕時計１００の時計バンド１００ａ内にスペーサ６を挿入し、梱包装置１内に収納する。
最後に、図１７に示すように、保持枠体５の第２のフラップ５５と第１の側面部材１６との間に生じる空間に説明書１０１を挿入した上で、蓋体１２を箱本体部１１に被覆することにより、これにより梱包作業が終了する。
【００４５】
蓋体１２を箱本体部１１に被覆する際には、折り返し部材２５が切り起こし片３０ａ，３０ｂを乗り越えて第２の本体側面部材１７と重なり合う。これにより、一旦蓋体１２が箱本体部１１に被覆されると、切り起こし片３０ａ，３０ｂが折り返し部材２５の自由端側の辺に係止され、蓋体１２の自由な開閉が抑止される。
【００４６】
なお、梱包装置を組み立てる順序はこれに限定されず、例えば箱本体部１１を先に組み立ててから蓋体１２を組み立ててもよい。
【００４７】
以上のように、本実施形態によれば、蓋体１２が箱本体部１１に被覆されると、切り起こし片３０ａ，３０ｂが折り返し部材２５の自由端側の辺に係止される。これにより、折り返し部材２５に係止される切り起こし片３０ａ，３０ｂを設けるという簡易な構成により、蓋体１２が不用意に開閉するのを防止することができる。
また、この切り起こし片３０ａ，３０ｂは、第２の本体側面部材１７の一部に切込み部１７ｃ，１７ｄを設けて、これを切り起こすことにより形成されているので、梱包装置１を原紙から切り出す際に切込み部１７ｃ，１７ｄを設けることにより、切り起こし片３０ａ，３０ｂについても容易に形成することができる。
【００４８】
また、本実施形態では、糊付けせずに組み立てを行うことができるので、組み立て作業が容易であり、一旦組み立てた後も解体や、再組み立てを容易に行うことができる。
【００４９】
また、前述のように糊付けせずに組み立てを行うので糊しろ部分を設ける必要がない。このため、展開状態における面積が小さく、梱包装置１を原紙から効率よく切り出すことができ、原紙の無駄を省くことができる。
【００５０】
また、本実施形態によれば、蓋体１２が箱本体部１１と一体に形成されているので、蓋体１２と箱本体部１１とを原紙からまとめて切り出すことができ、生産性を向上させることができる。
【００５１】
［第２の実施形態］
次に、図１８を参照しつつ、本発明に係る梱包装置の第２の実施形態について説明する。なお、第２の実施形態は、梱包対象物を保持する保持枠体部が一体に設けられている点のみが第１の実施形態の構成と異なっているため、以下においては、特に第１の実施形態と異なる部分について説明する。
【００５２】
本実施形態において、梱包装置は第１の実施形態と同様に、箱本体部１１及び蓋体１２を備えており、図示しない腕時計等を内部に収納するためのものである。
【００５３】
図１８に示すように、箱本体部１１の第２の側面部材１７における底面部材１５との連設方向の端部には、折曲線１５ｂに対向する辺部に形成された折曲線１７ｅを介して保持枠体部７を構成する第１の枠側面部材７０が連設されている。
【００５４】
第１の枠側面部材７０における第２の側面部材１７との連設部（折曲線１７ｅ）に対向する辺部には、保持枠上面部材７１が、折曲線７１ｃを介して連設されている。
保持枠上面部材７１は、第１の実施形態と同様に、その長手方向の長さ寸法が箱本体部１１の底面部材１５の長手方向の長さ寸法よりも僅かに小さく形成されており、保持枠上面部材７１の幅方向の長さ寸法は、箱本体部１１の底面部材１５の幅方向の長さ寸法より、少なくとも説明書の厚み分だけ小さい寸法となっている。
【００５５】
また、保持枠上面部材７１のほぼ中央部は、腕時計を保持する保持部７６となっている。保持部７６は、折曲線７６ａ,７６ｂ，７６ｃ，７６ｄによりほぼ四角形状に囲まれており、折曲線７６ａを下底とする台形状の切込部７６ｅ及び折曲線７６ｂを下底とする台形状の切込部７６ｆと、切込部７６ｅの上底のほぼ中央と切込部７６ｆの上底のほぼ中央とを結び保持枠上面部材７１の長手方向に延在する直線状の切込部７６ｇとを備えている。なお、保持部７６は、腕時計を保持可能な構成であればよく、保持部７６の切込部７６ｅ，７６ｆ，７６ｇの形状等がここに例示したものに限定されないことは第１の実施形態と同様である。
【００５６】
保持枠上面部材７１の長手方向の両端部には、折曲線７１ａ，７１ｂを介して第２の側面部材７２及び第３の側面部材７３が連設されている。また、保持枠上面部材７１には、折曲線７１ａ，７１ｂに直交する折曲線７１ｄを介して第４の側面部材７４が連設されている。
【００５７】
第４の側面部材７４における自由端側にはスペーサ部７５が連設されている。スペーサ部７５は、組立状態において、第４の側面部材７４が折曲線７１ｄで折り曲げられた際に、その自由端側の端部が底面部材１５の表面に当接し、保持枠上面部材７１の高さを所定の高さに保持するようになっている。
【００５８】
なお、その他の構成は、第１の実施形態で説明したものと同様であることから、同一部材には同一の符号を付して、その説明を省略する。
【００５９】
次に、本実施形態の作用について説明する。
本実施形態においては、第１の実施形態と同様に蓋体１２及び箱本体部１１の組み立てを行い、その後、保持枠体部７を組み立てて、これを箱本体部１１内に配置する。具体的には、折曲線７１ａ,７１ｂ，７１ｄ，７６ａ,７６ｂ，７６ｃ，７６ｄをすべて谷折りにした上で、保持部７６に腕時計を嵌装する。さらに、腕時計の時計バンド内に図示しないスペーサを挿入する。
そして、折曲線１７ｅを谷折りにし、折曲線７１ｃを山折りにして箱本体部１１の内部に収納する。これにより、スペーサ部７５の自由端側の端部が底面部材１５の表面に当接し、保持枠上面部材７１の高さが所定の高さに保持される。さらに、第４の側面部材７４及びスペーサ部７５と箱本体部１１の第１の側面部１６との間に生じる空間に図示しない説明書を挿入した上で、蓋体１２を箱本体部１１に被覆することにより、梱包作業が終了する。
【００６０】
蓋体１２を箱本体部１１に被覆する際には、第１の実施形態と同様に、折り返し部材２５が切り起こし片３０ａ，３０ｂを乗り越えて第２の本体側面部材１７と重なり合う。これにより、一旦蓋体１２が箱本体部１１に被覆されると、切り起こし片３０ａ，３０ｂが折り返し部材２５の自由端側の辺に係止され、蓋体１２の自由な開閉が抑止される。
【００６１】
なお、梱包装置を組み立てる順序はこれに限定されず、例えば先に箱本体部１１及び保持枠体部７を組み立てて、保持枠体部７を箱本体部１１内に収納してから蓋体１２を組み立ててもよい。
【００６２】
以上のように、本実施形態によれば、保持枠体部７も箱本体部１１や蓋体１２と一体に形成されているので、原紙からまとめて切り出すことができ、生産性を向上させることができる。
そして、このような構成をとった場合でも、蓋体１２が箱本体部１１に被覆されると、切り起こし片３０ａ，３０ｂが折り返し部材２５の自由端側の辺に係止される。これにより、折り返し部材２５に係止される切り起こし片３０ａ，３０ｂを設けるという簡易な構成により、蓋体１２が不用意に開閉するのを防止することができる。
また、この切り起こし片３０ａ，３０ｂは、第２の本体側面部材１７の一部に切込み部１７ｃ，１７ｄを設けて、これを切り起こすことにより形成されているので、梱包装置１を原紙から切り出す際に切込み部１７ｃ，１７ｄを設けることにより、切り起こし片３０ａ，３０ｂについても容易に形成することができる。
【００６３】
また、糊付けせずに組み立てを行うため、組み立て作業が容易であり、一旦組み立てた後も解体や、再組み立てを容易に行うことができる。
【００６４】
さらに、糊しろ部分を設ける必要がないため、展開状態における面積が小さく、梱包装置を原紙から効率よく切り出すことができ、原紙の無駄を省くことができる。
【００６５】
［第３の実施形態］
次に、図１９から図２３を参照しつつ、本発明に係る梱包装置の第３の実施形態について説明する。なお、第３の実施形態は、底面部材１５及び上面部材２１の構成のみが第１の実施形態と異なるものであるため、以下においては、特に第１の実施形態と異なる部分について説明する。
【００６６】
図１９は、本実施形態における梱包装置の組立状態における斜視図であり、図２０は、梱包装置の平面上に展開された展開状態を示す展開図である。また、図２１は、本実施形態における梱包装置の上面図であり、図２２は、図２１におけるXXII−XXII線断面図である。
本実施形態において、梱包装置は第１の実施形態と同様に、箱本体部１１及び蓋体１２を備えており、図示しない腕時計等を内部に収納するためのものである。
【００６７】
図１９から図２１に示すように、蓋体１２の上面部材２１における折曲線２１ａ，２１ｂの近傍には、それぞれほぼ半円形の切込み部２１f，２１gが設けられており、各切込み部２１f，２１gから突出部である舌片２１ｈ，２１ｉが上方向に切り起こされている（図２２参照）。なお、切込み部２１f，２１g及び舌片２１ｈ，２１ｉの形状はここに例示したものに限定されない。
【００６８】
また、底面部材１５における折曲線１５ｃ，１５ｄの近傍であって、上面部材２１における切込み部２１f，２１gの設けられている位置に対応する位置には、それぞれ舌片２１ｈ，２１ｉに対応する形状の切欠部１５ｇ,１５ｈが穿設されている。
【００６９】
また、切欠部１５ｇ,１５ｈの近傍には、折曲線１５ｃ，１５ｄに沿って、それぞれ係止用スリット１５ｅ，１５ｆが穿設されている（図２０参照）。
本実施形態において、第１の折り返し部材３１及び第２の折り返し部材３２の自由端には、組立状態において係止用スリット１５ｅ，１５ｆに対応する位置にそれぞれ係止用凸部３１ａ，３２ａが形成されている。係止用凸部３１ａ，３２ａは、組立状態において、それぞれ係止用スリット１５ｅ，１５ｆに係止されるようになっている。
【００７０】
なお、その他の構成は、第１の実施形態で説明したものと同様であることから、同一部材には同一の符号を付して、その説明を省略する。
【００７１】
次に、本実施形態の作用について説明する。
第１の実施形態と同様の手順で蓋部１２及び箱本体部１１を組み立てた後、切込み部２１f，２１gから舌片２１ｈ，２１ｉを上方向に切り起こす。
複数の梱包装置を積み重ねた場合には、図２３に示すように、突出部である各舌片２１ｈ，２１ｉがそれぞれ当該梱包装置の上部に積み重ねられた梱包装置の底面部材１５の切欠部１５ｇ，１５ｈに嵌入するようになっているので、上下方向に積み重ねられた梱包装置が互いにずれないように、位置決めされる。
なお、舌片２１ｈ,２１ｉは、梱包装置同士を積み重ねるときのみ切り起こせばよく、梱包装置を上下方向に積み重ねて使用しないときには、舌片２１ｈ,２１ｉを倒伏させて上面部材２１の表面と面一としておいてもよい。
【００７２】
以上のように、本実施形態によれば、複数の梱包装置を積み重ねた場合には、図２３に示すように、突出部である各舌片２１ｈ，２１ｉがそれぞれ当該梱包装置の上部に積み重ねられた梱包装置の底面部材１５の切欠部１５ｇ，１５ｈに嵌入するようになっているので、複数の梱包装置を積み重ねた場合でも、積み重ねられた梱包装置が互いに位置ずれを起こすのを防ぐことができる。これにより、例えば、複数の梱包装置を積み重ねて運んだり、積み重ねたまま収納したりする際に、安定させることができ、便宜である。また、梱包装置同士を積み重ねるとき以外は舌片２１ｈ,２１ｉを倒伏させておくことができ、場所を取らずに収納することも可能である。
そして、このような構成をとった場合でも、蓋体１２が箱本体部１１に被覆されると、切り起こし片３０ａ，３０ｂが折り返し部材２５の自由端側の辺に係止される。これにより、折り返し部材２５に係止される切り起こし片３０ａ，３０ｂを設けるという簡易な構成により、蓋体１２が不用意に開閉するのを防止することができる。
また、この切り起こし片３０ａ，３０ｂは、第２の本体側面部材１７の一部に切込み部１７ｃ，１７ｄを設けて、これを切り起こすことにより形成されているので、梱包装置１を原紙から切り出す際に切込み部１７ｃ，１７ｄを設けることにより、切り起こし片３０ａ，３０ｂについても容易に形成することができる。
【００７３】
［第４の実施形態］
次に、図２４及び図２５を参照しつつ、本発明に係る梱包装置の第４の実施形態について説明する。なお、第４の実施形態は、箱本体部と蓋体とを別体としている点において第１の実施形態と異なるものであるため、以下においては、特に第１の実施形態と異なる部分について説明する。
【００７４】
図２４は、本実施形態における梱包装置を構成する箱本体部を平面上に展開した展開状態を示す展開図であり、図２５は、蓋体を平面上に展開した展開状態を示す展開図である。
本実施形態において、梱包装置は、別体として構成された箱本体部８と蓋体９とを備えており、図示しない腕時計等を内部に収納するためのものである。
【００７５】
図２４に示すように、本実施形態における箱本体部８は、梱包装置の底面を構成する四角形状の底面部材８１、底面部材８１の各辺に連設され箱本体部８の周面を構成する４つの本体側面部材（第１の本体側面部材８２、第２の本体側面部材８３、第３の本体側面部材８４、第４の本体側面部材８５）、第１の折り返し部材８６、第２の折り返し部材８７、一対の第１のフラップ８８ａ，８８ｂ、一対の第２のフラップ８９ａ，８９ｂを備えている。
【００７６】
第１の本体側面部材８２は、箱本体部８の背面部分を構成するものであり、第２の本体側面部材８３は、箱本体部８の前面部分を構成するものである。第１の本体側面部材８２及び第２の本体側面部材８３は、底面部材８１における対向する２つの辺部に形成された折曲線８１ａ，８１ｂを介してそれぞれ底面部材８１に連設されており、組立時にはこの折曲線８１ａ，８１ｂで折り曲げられて底面部材８１に対して起立し互いに対向するようになっている。
【００７７】
本実施形態において、第１の本体側面部材８２の左右両端には、開口側の端部が折曲線８２ａ，８２ｂ及び折曲線８２ａ，８２ｂに接するように、ほぼコ字状の切込み部８２ｃ，８２ｄがそれぞれ形成されている。組立状態において、この切込み部８２ｃ，８２ｄから折曲線８２ａ，８２ｂを基端として切り起こし片８０ａ，８０ｂが切り起こされるようになっている。
また、第２の本体側面部材８３の左右両端には、同様に、開口側の端部が折曲線８３ａ，８３ｂ及び折曲線８３ａ，８３ｂに接するように、ほぼコ字状の切込み部８３ｃ，８３ｄがそれぞれ形成されている。組立状態において、この切込み部８３ｃ，８３ｄから折曲線８３ａ，８３ｂを基端として切り起こし片８０ｃ，８０ｄが切り起こされるようになっている。
【００７８】
切り起こし片８０ａ，８０ｂ，８０ｃ，８０ｄは、組立状態において切込み部８２ｃ，８２ｄ，８３ｃ，８３ｄから切り起され、蓋体９が箱本体部８に被覆されると、切り起こし片８０ａ，８０ｂは、それぞれ第２の折り返し部材９７の自由端側の辺に係止され、切り起こし片８０ｃ，８０ｄは、それぞれ第１の折り返し部材９６の自由端側の辺に係止されるようになっている。
【００７９】
第３の本体側面部材８４は、箱本体部８の右側面部分を構成するものであり、第４の本体側面部材８５は、箱本体部８の左側面部分を構成するものである。
第３の本体側面部材８４及び第４の本体側面部材８５は、底面部材８１における折曲線８１ａ，折曲線８１ｂに隣接する２つの辺部にそれぞれ折曲線８１ｃ，８１ｄを介して連設されている。第３の本体側面部材８４及び第４の本体側面部材８５は、組立時にはこの折曲線８１ｃ，８１ｄで折り曲げられて底面部材８１に対して起立するとともに互いに対向し、第１の本体側面部材８２及び第２の本体側面部材８３とともに底面部材８１を取り囲むようになっている。
【００８０】
第１の本体側面部材８２における底面部材８１との連設部（折曲線８１ａ）に隣接する２つの辺部には、一対の第１のフラップ８８ａ，８８ｂが、それぞれ折曲線８２ａ，８２ｂを介して連設されている。第１のフラップ８８ａ，８８ｂは、組立時にこの折曲線８２ａ，８２ｂで折り曲げられて外面が第３の本体側面部材８４及び第４の本体側面部材８５の内面にそれぞれ当接されるようになっている。
【００８１】
第２の本体側面部材８３における底面部材８１との連設部（折曲線８１ｂ）に隣接する２つの辺部には、一対の第２のフラップ８９ａ，８９ｂが、それぞれ折曲線８３ａ，８３ｂを介して連設されている。第２のフラップ８９ａ，８９ｂは、組立時にこの折曲線８３ａ，８３ｂで折り曲げられて外面が第３の本体側面部材８４及び第４の本体側面部材８５の内面にそれぞれ当接されるようになっている。
【００８２】
第３の本体側面部材８４における底面部材８１との連設部（折曲線８１ｃ）に対向する辺部には、第１の折り返し部材８６が、折曲部８４ａを介して連設されている。第１の折り返し部材８６は、組立状態において箱本体部８の内側に折り返され、第３の本体側面部材８４と重なり合うようになっている。
また、第４の本体側面部材８５における底面部材８１との連設部（折曲線８１ｄ）に対向する辺部には、第２の折り返し部材８７が、折曲部８５ａを介して連設されている。第２の折り返し部材８７は、組立状態において箱本体部８の内側に折り返され、第４の本体側面部材８５と重なり合うようになっている。
【００８３】
第１の折り返し部材８６及び第２の折り返し部材８７の自由端には、それぞれ係止用凸部８６ａ，８７ａが形成されている。
底面部材８１には、折曲線８１ｃ，８１ｄに沿って、それぞれ係止用スリット８１ｅ，８１ｆが穿設されており、係止用凸部８６ａ，８７ａは、組立状態において、それぞれ係止用スリット８１ｅ，８１ｆに係止される。
なお、組立状態において、第１の折り返し部材８６と第３の本体側面部材８４との間及び第２の折り返し部材８７と第４の本体側面部材８５との間には、第１のフラップ８８ａ，８８ｂ及び第２のフラップ８９ａ，８９ｂが挟み込まれるようになっており、折曲部８４ａ、８５ａは、第１のフラップ８８ａ，８８ｂ及び第２のフラップ８９ａ，８９ｂの厚み分等を考慮して所定の幅に形成されている。
【００８４】
図２５に示すように、本実施形態における蓋体９は、梱包装置の上面を構成し組立状態において底面部材８１と対向する上面部材９１と、上面部材９１の各辺に連設され蓋体９の周面を構成する４つの蓋側面部材（第１の蓋側面部材９２、第２の蓋側面部材９３、第３の蓋側面部材９４、第４の蓋側面部材９５）、第１の折り返し部材９６、第２の折り返し部材９７、一対の第１のフラップ９８ａ，９８ｂ、一対の第２のフラップ９９ａ，９９ｂを備えている。
【００８５】
上面部材９１の折曲線９１ａ，９１ｂの近傍には、それぞれ窓部９１ｅ，９１ｆが穿設されている。なお、本実施形態において、窓部９１ｅ，９１ｆは装飾用の孔であり、梱包装置の必須の構成要素ではない。
【００８６】
第１の蓋側面部材９２は、蓋体９の前面部分を構成する部材であり、折曲線９１ｃを介して上面部材９１に連設されている。第１の蓋側面部材９２は、蓋体９を箱本体部８に被せた際に、箱本体部８の前面部分を構成する第２の本体側面部材８３と重なり合う。
また、第２の蓋側面部材９３は、蓋体９の背面部分を構成する部材であり、折曲線９１ｄを介して上面部材９１に連設されている。第２の蓋側面部材９３は、蓋体９を箱本体部８に被せた際に、箱本体部８の背面部分を構成する第１の本体側面部材８２と重なり合う。
【００８７】
また、上面部材９１における第１の蓋側面部材９２との連設部（折曲線９１ｃ）に隣接する２つの辺部には、第３の蓋側面部材９４及び第４の蓋側面部材９５が、それぞれ折曲線９１ａ，９１ｂを介して連設されている。
第３の蓋側面部材９４及び第４の蓋側面部材９５は、蓋体９の側面部分を構成する部材であり、蓋体９を箱本体部８に被せた際に、箱本体部８の左右の側面部分を構成する第３の本体側面部材８４及び第４の本体側面部材８５とそれぞれ重なり合う。
【００８８】
第３の蓋側面部材９４及び第４の蓋側面部材９５における上面部材９１との連設部（折曲線９１ａ，９１ｂ）に隣接する辺部のうち第１の蓋側面部材９２側に位置する辺部には、一対の第１のフラップ９８ａ，９８ｂが、それぞれ折曲線９４ａ，９５ａを介して連設されている。また、第３の蓋側面部材９４及び第４の蓋側面部材９５における上面部材９１との連設部（折曲線９１ａ，９１ｂ）に隣接する辺部のうち第２の蓋側面部材９３側に位置する辺部には、一対の第２のフラップ９９ａ，９９ｂが、それぞれ折曲線９４ｂ，９５ｂを介して連設されている。なお、第１のフラップ９８ａ，９８ｂ、第２の９９ａ，９９ｂの形状は、図示したものに限定されない。
また、第３の蓋側面部材９４及び第４の蓋側面部材９５には、折曲線９４ａ，９４ｂ，９５ａ，９５ｂに沿って、それぞれ係止用スリット９４ｃ，９４ｄ，９５ｃ，９５ｄが穿設されている。
【００８９】
第１の蓋側面部材９２における上面部材９１との連設部（折曲線９１ｃ）に対向する辺部には、第１の折り返し部材９６が、折曲部（折曲線）９２ａを介して連設されている。第１の折り返し部材９６は、組立状態において蓋体９の内側に折り返され、第１の蓋側面部材９２と重なり合うようになっている。
第１の折り返し部材９６の自由端の両側端には、それぞれ係止用凸部９６ａ，９６ｂが形成されている。係止用凸部９６ａ，９６ｂは、組立状態において、それぞれ係止用スリット９４ｃ，９５ｃに係止される。
【００９０】
第２の蓋側面部材９３における上面部材９１との連設部（折曲線９１ｄ）に対向する辺部には、第２の折り返し部材９７が、折曲部（折曲線）９３ａを介して連設されている。第２の折り返し部材９７は、組立状態において蓋体９の内側に折り返され、第２の蓋側面部材９３と重なり合うようになっている。
第２の折り返し部材９７の自由端の両側端には、それぞれ係止用凸部９７ａ，９７ｂが形成されている。係止用凸部９７ａ，９７ｂは、組立状態において、それぞれ係止用スリット９４ｄ，９５ｄに係止される。
【００９１】
なお、組立状態において、第１の折り返し部材９６と第１の蓋側面部材９２との間及び第２の折り返し部材９７と第２の蓋側面部材９３との間には、第１のフラップ９８ａ，９８ｂ、第２の９９ａ，９９ｂが挟み込まれるようになっており、折曲部９２ａ，９３ａは、第１のフラップ９８ａ，９８ｂ、第２の９９ａ，９９ｂの厚み分等を考慮して所定の幅に形成されている。
【００９２】
なお、箱本体部８において底面部材８１を囲む第１の本体側面部材８２から第４の本体側面部材８３の形状、構成や、蓋体９の形状、構成等は、ここに例示したものに限定されず、適宜変更可能である。
【００９３】
次に、本実施形態における作用について説明する。
まず、図２４及び図２５に示す展開状態の箱本体部８及び蓋体９や、図示しない保持枠体及びスペーサを、それぞれ打ち抜き加工等により原紙から切り出す。
切り出した箱本体部８、蓋体９及び保持枠体のすべての折曲線を谷折りにし、それぞれを組み立てる。
具体的には、まず蓋体９は、折曲線９１ａ，９１ｂ，９１ｃ，９１ｄをそれぞれ谷折りして第１の蓋側面部材９２、第２の蓋側面部材９３、第３の蓋側面部材９４及び第５の蓋側面部材９５を上面部材９１に対して起立させ、さらに、第１のフラップ９８ａ，９８ｂをそれぞれ折曲線９４ａ，９５ａを谷折りにして内側に折り込む。さらに第１のフラップ９８ａ，９８ｂの外面を第１の蓋側面部材９２の内面に当接させ、折曲部９２ａにおいて第１の折り返し部材９６を第１の蓋側面部材９２と重なり合うところまで内側に折り返す。そして、係止用凸部９６ａ，９６ｂをそれぞれ係止用スリット９４ｃ，９５ｃに係止する。
同様に、第２の９９ａ，９９ｂをそれぞれ折曲線９４ｂ，９５ｂを谷折りにして内側に折り込み、第２のフラップ９９ａ，９９ｂの外面を第２の蓋側面部材９３の内面に当接させる。そして、折曲部９３ａにおいて第２の折り返し部材９７を第２の蓋側面部材９３と重なり合うところまで内側に折り返す。そして、係止用凸部９７ａ，９７ｂをそれぞれ係止用スリット９４ｄ，９５ｄに係止する。これにより蓋体９の組み立てが完了する。
【００９４】
次に、箱本体部８については、まず、第１の折り返し部材８６を第３の本体側面部材８４と重なり合うように内側に折り返し、第２の折り返し部材８７を第４の本体側面部材８５と重なり合うように内側に折り返しながら、折曲線８１ｃ，８１ｄを谷折りして第３の本体側面部材８４及び第４の本体側面部材８５を底面部材８１に対して起立させる。さらに、折曲線８２ａ，８２ｂをそれぞれ谷折りにして、第１のフラップ８８ａ，８８ｂを、その外面が第３の本体側面部材８４及び第４の本体側面部材８５の内面に接するように折り込みながら、折曲線８１ａを谷折りにして第１の本体側面部材８２を底面部材８１に対して起立させる。
同様に、折曲線８３ａ，８３ｂをそれぞれ谷折りにして、第２のフラップ８９ａ，８９ｂを、その外面が第３の本体側面部材８４及び第４の本体側面部材８５の内面に接するように折り込みながら、折曲線８１ｂを谷折りにして第２の本体側面部材８３を底面部材８１に対して起立させる。
そして、第１のフラップ８８ａ，８８ｂ及び第２のフラップ８９ａ，８９ｂを、第３の本体側面部材８４と第１の折り返し部材８６との間、第４の本体側面部材８５と第２の折り返し部材８７との間に挟みこむようにして、第１の折り返し部材８６及び第２の折り返し部材８７を折り込み、係止用凸部８６ａ，８７ａを、それぞれ係止用スリット８１ｅ，８１ｆに係止する。
また、切込み部８２ｃ，８２ｄから折曲線８２ａ，８２ｂを基端として切り起こし片８０ａ，８０ｂを切り起こし、切込み部８３ｃ，８３ｄから折曲線８３ａ，８３ｂを基端として切り起こし片８０ｃ，８０ｄを切り起こす。これにより、箱本体部８の組み立てが完了する。
【００９５】
次に、保持枠体を組み立てて腕時計を嵌装し、腕時計の時計バンド内にスペーサを挿入して、箱本体部８内に収納する。さらに、説明書を挿入した上で、蓋体９を箱本体部８に被覆する。これにより梱包作業が終了する。
【００９６】
蓋体９を箱本体部８に被覆する際には、第１の折り返し部材８６及び第２の折り返し部材８７がそれぞれ切り起こし片８０ａ，８０ｂ，８０ｃ，８０ｄを乗り越えて第１の本体側面部材８２及び第２の本体側面部材８３と重なり合う。これにより、一旦蓋体９が箱本体部８に被覆されると、切り起こし片８０ａ，８０ｂ，８０ｃ，８０ｄが第１の折り返し部材８６及び第２の折り返し部材８７の自由端側の辺に係止され、蓋体９の自由な開閉が抑止される。
【００９７】
なお、梱包装置を組み立てる順序はここに例示したものに限定されない。
【００９８】
以上のように、本実施形態によれば、蓋体９が箱本体部８に被覆されると、切り起こし片８０ａ，８０ｂ，８０ｃ，８０ｄが第１の折り返し部材８６及び第２の折り返し部材８７の自由端側の辺に係止される。これにより、蓋体９が不用意に開閉するのを簡易な構成により防止することができる。
【００９９】
また、本実施形態では、糊付けせずに組み立てを行うことができるので、組み立て作業が容易であり、一旦組み立てた後も解体や、再組み立てを容易に行うことができる。
【０１００】
また、前述のように糊付けせずに組み立てを行うので糊しろ部分を設ける必要がない。このため、展開状態における面積が小さく、梱包装置を原紙から効率よく切り出すことができ、原紙の無駄を省くことができる。
【０１０１】
なお、本発明は、上記各実施形態に示した範囲に限定されるものではなく、以下のように、適宜変更が可能である。
【０１０２】
例えば、第３の実施形態や第４の実施形態に示した梱包装置に、第２の実施形態に示すような保持枠体を一体的に設ける構成としてもよい。第４の実施形態に示した梱包装置に、保持枠体を一体的に設ける場合には、保持枠体を第１の本体側面部材８２、第２の本体側面部材８３のいずれの側に設けてもよい。
【０１０３】
また、第２の実施形態や第４の実施形態に示す梱包装置に、第３の実施形態に示すような切欠部１５ｇ，１５ｈ及びこれに嵌入する舌片２１ｈ，２１ｉを設けて、梱包装置を複数個積み重ねても位置ずれしない構成としてもよい。
【０１０４】
また、上記第１の実施形態から第３の実施形態では、蓋体１２が箱本体部１１の第１の側面部材１６に連設されている構成を例として説明したが、蓋体１２が設けられる位置はこれに限定されない。例えば、蓋体１２が箱本体部１１の第２の側面部材１６に連設されている構成としてもよい。
また、例えば、第２の実施形態のように蓋体１２及び保持枠体部７がともに箱本体部１１に連設されている場合には、蓋体１２を第２の側面部材１６に連設し、保持枠体部７を第１の側面部材１６に連設する構成としてもよい。
【０１０５】
また、上記第１の実施形態から第３の実施形態では、第２の本体側面部材１７に２つの切り起こし片３０ａ，３０ｂを設ける構成としたが、切り起こし片３０ａ，３０ｂを設ける位置、切り起こし片の数、形状等はここに例示したものに限定されない。例えば、第３の本体側面部材１８、第４の本体側面部材１９に切り起こし片を設けてもよい。
また、第４の実施形態では、第１の本体側面部材８２と第２の本体側面部材８３とにそれぞれ２つの切り起こし片８０ａ，８０ｂ，８０ｃ，８０ｄを設ける構成としたが、切り起こし片を設ける位置や数等はこれに限定されず、例えば第１の本体側面部材８２又は第２の本体側面部材８３のいずれか一方のみに切り起こし片を設ける構成としてもよい。
【０１０６】
また、上記各実施形態では、蓋体が不用意に開かないように係止する係止用突起として、切込み部から切り起こした切り起こし片を設ける場合を例としたが、係止用突起は、切り起こし片に限定されない。例えば、第３の本体側面部材１８、第４の本体側面部材１９の第２の本体側面部材１７に近接する辺に突出部を形成し、これを係止用突起として機能させてもよい。
【０１０７】
また、上記各実施形態では、梱包装置が板紙や段ボール紙等の紙製シートで形成されている場合を例として説明したが、梱包装置を形成する材料はこれに限定されない。例えば、例えば梱包装置１を形成する材料としてプラスチック等の樹脂製シート等を適用することも可能である。
【図面の簡単な説明】
【０１０８】
【図１】第１の実施形態に係る梱包装置の組立状態を示す斜視図である。
【図２】図１の梱包装置の展開状態を示す展開図である。
【図３】保持枠体の展開状態を示す展開図である。
【図４】スペーサの展開状態を示す展開図である。
【図５】図１の梱包装置の上面図である。
【図６】図５のVI−VI線断面図である。
【図７】図５のVII−VII線断面図である。
【図８】図７における一点鎖線部分の拡大図である。
【図９】図１の梱包装置の組み立て前の展開状態を示す展開図である。
【図１０】図９において蓋体のフラップを折り込んだ状態を示す図である。
【図１１】図１０において蓋体の折り返し部材を折り返して蓋体の組み立てが完了した状態を示す図である。
【図１２】図１１において箱本体部の第３の本体側面部材及び第４の本体側面部材、第１のフラップ及び第２のフラップを折曲線で谷折りにした状態を示す図である。
【図１３】図１２において箱本体部の第３の本体側面部材及び第４の本体側面部材を折曲線で谷折りにしながら第２の本体側面部材を起立させた状態を示す図である。
【図１４】図１３において第１のフラップを第１の折り返し部材と第３の本体側面部材及び第２の折り返し部材と第４の本体側面部材との間に折り込んでいる状態を示す図である。
【図１５】図１の梱包装置の蓋体及び箱本体部の組み立てが完了した状態を示す図である。
【図１６】図３の保持枠体の組立状態を示す図である。
【図１７】図１５において組立が完了した梱包装置の箱本体部内部に腕時計及び説明書を収納した状態を示す図である。
【図１８】第２の実施形態に係る梱包装置の展開状態を示す展開図である。
【図１９】第３の実施形態に係る梱包装置の組立状態を示す斜視図である。
【図２０】図１９の梱包装置の展開状態を示す展開図である。
【図２１】図１９の梱包装置の上面図である。
【図２２】図２１のXXII−XXII線断面図である。
【図２３】図１９の梱包装置を上下方向に２つ積み重ねた状態を示す断面図である。
【図２４】第４の実施形態に係る梱包装置の箱本体部の展開状態を示す展開図である。
【図２５】第４の実施形態に係る梱包装置の蓋体の展開状態を示す展開図である。
【符号の説明】
【０１０９】
１      梱包装置
５      保持枠体
６      スペーサ
１１    箱本体部
１２    蓋体
１５    底面部材
１６    第１の本体側面部材
１７    第２の本体側面部材
１７ｃ，１７ｄ  切込み部
１８    第３の本体側面部材
１９    第４の本体側面部材
２１    上面部材
２２    第１の蓋側面部材
２３    第２の蓋側面部材
２４    第３の蓋側面部材
２５    折り返し部材
２６ａ，２６ｂ  フラップ
３０ａ，３０ｂ  切り起こし片（係止用突起）
３１  第１の折り返し部材
３２  第２の折り返し部材
３３ａ，３３ｂ  第１のフラップ
３４ａ，３４ｂ  第２のフラップ
１００  腕時計（梱包対象物）
１００ａ  時計バンド
１０１  説明書
【図１】
2010001039.tif 000003
【図２】
2010001039.tif 000004
【図３】
2010001039.tif 000005
【図４】
2010001039.tif 000006
【図５】
2010001039.tif 000007
【図６】
2010001039.tif 000008
【図７】
2010001039.tif 000009
【図８】
2010001039.tif 000010
【図９】
2010001039.tif 000011
【図１０】
2010001039.tif 000012
【図１１】
2010001039.tif 000013
【図１２】
2010001039.tif 000014
【図１３】
2010001039.tif 000015
【図１４】
2010001039.tif 000016
【図１５】
2010001039.tif 000017
【図１６】
2010001039.tif 000018
【図１７】
2010001039.tif 000019
【図１８】
2010001039.tif 000020
【図１９】
2010001039.tif 000021
【図２０】
2010001039.tif 000022
【図２１】
2010001039.tif 000023
【図２２】
2010001039.tif 000024
【図２３】
2010001039.tif 000025
【図２４】
2010001039.tif 000026
【図２５】
2010001039.tif 000027